(57)【要約】【課題】  入力信号に関してビデオ補正を遂行するビデオ補正システム及び方法を提供することである。【解決手段】  本システムは、前記入力信号の対数表現を発生する対数変換器（１６）を含む。構成可能な補正器／変換器（１４）は、前記入力信号の対数表現を処理するように動作する複数の関連構成部品を含む。構成可能な補正器／変換器（１４）は、少なくとも１つの所望の信号特性を有する出力信号を発生する。スイッチコントロール（１２）は、補正器／変換器（１４）の構成を選択する。この構成は、前記対数表現を処理する前記複数の関連構成部品の少なくとも１つを表している。【選択図】          図１
2005027301.tif 000002
【特許請求の範囲】
【請求項１】
ビデオ補正システムであって、
入力信号の対数表現を発生する対数変換器と、
前記対数表現を処理し、少なくとも１つの所望信号特性を有する出力信号を発生するように動作する複数の関連構成部品を有する構成可能な補正器／変換器と、
前記補正器／変換器の構成を選択するスイッチコントロールと、
を備え、
前記構成は、前記対数表現を処理するための複数の関連構成部品の少なくとも１つを表していることを特徴とするビデオ補正システム。
【請求項２】
入力信号内の色度偏差を補正する方法であって、
入力信号の対数表現を発生するステップと、
複数の関連構成部品を使用して前記対数表現を処理し、少なくとも１つの所望信号特性を有する出力信号を発生するステップと、
前記対数表現を処理するために前記複数の関連構成部品の少なくとも１つを選択するステップと、
を含むことを特徴とする方法。
【発明の詳細な説明】
【技術分野】
【０００１】
本発明は、一般的には電子デバイスに関し、より特定的にはビデオ補正システムに関する。
【背景技術】
【０００２】
陰極線管の光強度が、管に印加される電圧に線形に比例しないことは長い間知られてきた。そうではなく、強度は印加電圧に指数ファクタγ（ガンマ）を乗じた値に比例する。殆どのカメラ及び他のセンサは、イメージを線形に記録する。記録されたイメージが陰極線管の非線形挙動によって歪むのを防ぐためには、イメージを表示する前に指数補正ファクタとしてγ値を適用する必要がある。
【０００３】
定義されているテレビジョン標準は、消費者のテレビジョンコンソールが標準化されたγ値で動作することを要求している。これにより、商用テレビジョン局はビデオ信号を放送する前にγ補正を適用することが許容され、各個々のコンソールにおけるγ補正の必要性を排除している。しかしながら、全てのディスプレイシステムがこれらの標準に従っている訳ではない。例えばコンピュータモニタはこの放送γ値に標準化されておらず、放送源からの資料を表示するとカラー歪みがもたらされる。実際に、殆どのコンピュータモニタはγ歪みの効果を完全に無視しており、ディスプレイが異なると資料の間にカラーの不一致が見れる。
【０００４】
γ値の補正は、カラードメイン（定義域）間の信号の変換によって更に複雑になる。テレビジョン信号は、典型的には強度Ｙ、２つの色差値Ｃｂ及びＣｒによってある画素を表すＹＣｂＣｒモデルを使用して送信される。信号がＹ、Ｃｂ及びＣｒによって定義されるドメイン内に表されている場合には、γ補正済み信号の計算は極度に複雑になる。従ってγ補正に先立って、その信号を、ある画素がその赤、緑、及び青の内容を表す値によって表されるＲＧＢカラー空間ドメインに変換する必要がある。
【０００５】
更に、たとえ入力信号が既にＲＧＢカラー空間ドメイン内にあるとしても、収集デバイス（例えば、カメラまたはスキャナ）及びディスプレイに関連のＲＧＢシステムが異なるために生ずる色収差を補正する必要があり得る。ＲＧＢカラー空間ドメインのための標準には、米国、日本、その他の多くの国が使用しているナショナルテレビジョンシステム委員会（ＮＴＳＣ）方式、主として欧州各国が使用している欧州放送ユニオン（ＥＢＵ）方式のような多くの異なる標準が存在している。各標準は個々に原色（即ち、赤、緑、及び青）を定義しているので、ＮＴＳＣ標準に従って放送される信号を受信するように設計されているディスプレイは、ＥＢＵ標準の信号を受信した時に大きい色収差を呈することになる。
【発明の開示】
【発明が解決しようとする課題】
【０００６】
従来の解決方法は、ディスプレイのγ値及び色度値の差を補正するためにルックアップテーブルの使用を含んでいた。これは、入力γ値が固定され、出力γ値が固定されているアプリケーションには有効であるが、ユーザが個人の好みに合わせてγ調整を変化させることも、または変化する関連γ値を用いて入力を調整することも許されない。ユーザが望むであろうγ補正の全ての可能な程度に対して、ある範囲のルックアップテーブル値を含むことは非効率である。従って、広範な入力γ値に調整することができる効率的且つ費用有効なビデオ補正システムが望まれている。
【課題を解決するための手段】
【０００７】
以下に、本発明の幾つかの面を基本的に理解できるように、本発明を要約して説明する。この要約は、本発明の全体を詳細に示すものではない。この要約は、本発明のキーとなる即ち重要な要素を識別するものでも、または本発明の範囲を詳述するものでもない。この要約の唯一の目的は、本発明の幾つかの概念を、後述するより詳細な説明の前文として簡易な形状で示すことである。
【０００８】
本発明は、ビデオ補正システム及び方法に関する。本システムは、異なる入力及び出力フォーマットに、及び異なるビデオ補正機能に適合するように構成可能である。これらのビデオ補正機能は、入力信号の関連γ値を変更すること、その信号を別のカラー空間ドメインに変換すること、及び／または、共通カラー空間ドメインを使用してデバイス間の不一致を補正することを含むことができる。
【０００９】
本発明の一面によれば、システムは入力信号のビデオ補正を行う。対数変換器は、入力信号の対数表現を発生する。構成可能な補正器／変換器は、入力信号の対数表現を処理するように動作する複数の関連構成部品を含んでいる。構成可能な補正器／変換器は、少なくとも１つの所望信号特性を有する出力信号を発生する。スイッチコントロールは、補正器／変換器の構成を選択する。この構成は、複数の関連構成部品の中の対数表現を処理する少なくとも１つを表している。
【００１０】
以上の、及び関連する目的を達成するために、以下に添付図面を参照して本発明の幾つかの面を説明する。しかしながら、これらの面は本発明の原理を使用することができる種々の方法の幾つかに過ぎず、本発明はこれらの面及びそれらの等価の全てを含むことを意図している。
【発明を実施するための最良の形態】
【００１１】
本発明は、入力信号内の色収差及び偏差を補正するためのビデオ補正システム及び方法に関する。これらの偏差は、収集源とシステムの関連ディスプレイとの間の差（カラー空間ドメイン、関連γファクタ、及び源とディスプレイの利得及びペデスタル値の差を含む）の結果であり得る。入力信号の予測される特性及び所望出力信号の特性に依存して、１またはそれ以上の補正プロセスを入力信号に適用することができる。入力信号に適用するプロセス、及びそれらを適用する順序はシステム構成によって制御される。システム構成は、信号をシステムの種々の構成部品へ導く一方で、他の構成部品をバイパスさせるスイッチを使用することができる。
【００１２】
図１は、本発明の一面によるビデオ補正システム１０のブロック図である。図示システム１０は、１またはそれ以上の集積回路上にハードウェア構成部品として実現することができる。代替として、図示した機能の１またはそれ以上は、汎用プロセッサまたはコントローラ上のソフトウェアとして実現することができる。図示実施の形態においては、ビデオ補正システム１０は、単一の特定用途向け集積回路（ＡＳＩＣ）内に実現されている。
【００１３】
システム１０は、スイッチコントロール１２を含んでいる。入力信号を処理する前に、スイッチコントロール１２がシステム構成をセットする。スイッチコントロール１２は、入力信号及び所望出力信号の１またはそれ以上の特性に応答して、構成可能な補正器／変換器１４の構成を変化させる。図示実施の形態においては、これらの制御特性は、入力信号及び所望出力信号の関連カラー空間ドメインを含む。スイッチコントロール１２は、補正器／変換器１４の構成を変化させる際に補正器／変換器１４に関連する複数の構成部品の何れが入力信号を処理するかを決定する。補正器／変換器１４は、信号にγ補正を与える構成部品、信号からγ補正を除去する構成部品、信号をカラー空間ドメイン間で変換する構成部品、及びカラー空間ドメイン内で信号を補正する構成部品を含むさまざまな構成部品を含むことができる。このリストは全構成部品を網羅しているものではなく、また補正器／変換器１４内の特定の構成部品はアプリケーションに応じて変化させ得ることを理解されたい。
【００１４】
図示の例においては、スイッチコントロール１２は、入力信号の既知特性に応答してオペレータが、例えばスイッチコントロール１２に関連するロジックをプログラムすることによって構成することができる。例えば、入力信号の関連カラー空間及びγは、一般的にはビデオ補正システム１０の動作前から知られている。同様に、スイッチコントロール１２は出力信号の所望特性に一致するように構成することができる。代替として、スイッチコントロール１２は、入力信号の特性を決定してスイッチを相応に構成するために、入力信号を評価することができる。このような場合、スイッチコントロール１２は、システム内の他の構成部品へ構成データを供給することができる。
【００１５】
図示実施の形態においては、システム１０は、各活動構成部品が適切なカラー空間ドメイン内で表されているデータを受信するように構成されている。例えば、信号のγ補正はＲＧＢドメイン内において遂行することが望ましい。従って、もし入力信号がＹＣｂＣｒドメインとして供給されれば、スイッチコントロール１２は、信号がＲＧＢドメインに変換されてしまうまで信号のγ補正を遅延させるように動作する。図示実施の形態においては、この遅延は、第１γ補正構成部品をバイパスし、シーケンスの後方の第２γ補正構成部品の方を選択することによって達成される。同様に、信号の白黒レベル補正は、ＹＣｂＣｒドメイン内において容易に遂行される。従って、入力信号がＹＣｂＣｒドメインにある場合、スイッチコントロール１２は処理の早期ステージにおいて白黒レベル補正を行うように構成部品を選択することができる。
【００１６】
システム１０は、対数変換器１６において入力信号を受信する。対数変換器１６は、入力信号の対数ドメイン内の表現を生成する。図示実施の形態においては、入力信号は、各々が色差値を表す３つの色度（クロマティック）成分（例えば、Ｒ、Ｇ、及びＢ、またはＹ、Ｃｂ、及びＣｒ）からなるデジタル信号である。対数変換器１６は、これらの各成分信号の対数表現を発生する。図示実施の形態においては、対数表現は、成分信号値の２を底とする対数に等しい。対数変換器１６は、補間ステージ及び補正ステージを含む。補間ステージにおいては、対数の整数値は信号値の最上位のビットとして決定され、この最上位のビットの値に対する剰余の比として仮数値が推定される。１またはそれ以上の補正ステージが、仮数値の関数として導出された補正値を加算することによって近似をより精密にする。対数変換器１６は、汎用プロセッサ上のソフトウェアとして、または一連のハードウェア構成部品として実現することができる。
【００１７】
信号は、対数変換器から構成可能な補正器／変換器１４へ渡される。補正器／変換器１４において信号が処理され、所望の出力状態の信号が生成される。例えば、信号の利得及びペデスタルを調整することができ、信号のカラー空間ドメインを変化させることができ、そして信号の関連γ値を調整するか、または完全に除去することができる。補正器／変換器１４は、これらの機能及び他のビデオ補正機能を遂行するように動作可能な複数の構成部品を含む。処理された信号は、逆対数変換器１８へ供給される。
【００１８】
逆対数変換器１８において、信号は対数ドメインから標準ドメインへ変換される。逆対数変換器１８は対数変換器１４に対応するものであり、本質的に、元の信号成分の対数変換を反転する。逆対数変換器１８は、３つの各信号成分毎の信号値を受信する。各信号値は、整数部分と仮数部分とからなる。
【００１９】
逆対数変換器１８は、受信した仮数から仮数の関数を減算する少なくとも１つの予備補正ステージを含む。補正された仮数及び整数値は、整数部分及び予備補正された仮数から標準ドメイン値を発生する復元ステージへ供給される。復元ステージは、対数変換器１６の線形補間プロセスを反転するように動作する。逆対数変換器１８は、汎用プロセッサ上に設置されたコンピュータソフトウェアプログラムとして、または信号処理ハードウェアの配列として実現することができる。逆対数変換器１８の出力は、１またはそれ以上の所望信号特性を有する補正済みの信号である。
【００２０】
図２は、本発明の一面による２を底とする対数変換器４０の例のブロック図である。対数変換器４０は、汎用プロセッサ上のソフトウェアとして実現することができる。代替として、対数変換器は、特殊化されたハードウェア構成部品として実現することができる。図２は、１つの信号成分のための変換経路を示している。対数変換は入力信号の各成分毎に遂行され、従って対数変換器４０内には各信号成分毎に１つ、計３つの分離した並列変換経路を設ける必要があることは理解されよう。図示実施の形態においては、入力信号は、ＲＧＢカラー空間ドメイン内に表されている。しかしながら、対数変換器４０の上述した要素はＲＧＢカラー空間ドメイン以外の信号のために使用することができる。
【００２１】
対数変換は、線形補間ステージ４２において開始される。線形補間ステージ４２は、各信号値毎の整数値（Ｉ）を決定する。図示の変換器は２を底とする対数を使用しているから、対数の整数値はデジタル信号値の最上位のビット（ＭＳＢ）の位置に等しい。例えば、信号値が９（１００１）の場合、ＭＳＢは２3位置にある。従って、この対数の整数値は３である。次いで、ＭＳＢの値と、対数の底の次に最高の整数冪との間を線形に補間することによって、各成分毎の仮数値（Ｍ0）が計算される。値９の例の場合、補間は２3と２4とによって囲まれる範囲にわたって遂行される。底２のシステムにおいては、底の連続整数冪間の差は、２つの整数冪の小さい方に等しい。従って、補間から導出された仮数値はＭＳＢを減算した後の剰余ビットと、ＭＳＢ自体との比に等しい。値９の場合、仮数値は１（００１）を８（１０００）で除した値に等しい。これらの値は共に、一連の補正ステージ４４、４６、及び４８へ供給される。実際には、アプリケーションの所望精度及び動作時間に依存して、如何なる数の補正ステージをも使用することができる。
【００２２】
第１補正ステージ４４において各仮数（Ｍ0）に第１補正値が適用され、第１補正済み仮数値（Ｍ1）が生成される。図示実施の形態においては、この補正値は、元の仮数値（Ｍ0）の関数である。代替として、補正関数は、整数値（Ｉ）または両値の関数であることができる。第１補正済み仮数値（Ｍ1）は、第２補正ステージ４６へ供給される。
【００２３】
第２補正ステージ４６においては、各仮数（Ｍ1）に第２補正値が適用され、第２補正済み仮数値（Ｍ2）が生成される。図示実施の形態においては、この補正値は、元の仮数値（Ｍ0）の関数である。代替として、補正関数は、元の仮数値（Ｍ0）、第１補正済み仮数値（Ｍ1）の関数であることができる。第２補正済み仮数値（Ｍ2）は、第３補正ステージ４８へ供給される。
【００２４】
第３補正ステージ４８においては、各仮数（Ｍ2）に第３補正値が適用され、第３補正済み仮数値（Ｍ3）が生成される。図示実施の形態においては、この補正値は、元の仮数値（Ｍ0）の関数である。代替として、補正関数は、元の仮数値（Ｍ0）、第１補正済み仮数値（Ｍ1）または第２補正済み仮数値（Ｍ2）の関数であることができる。整数値と第３補正済み仮数値（Ｍ3）との和が、信号成分の対数の正確な近似を与える。
【００２５】
本発明のビデオ補正システムは、いろいろな入力及び出力構成にビデオ補正を与えるように実現することができる。図３は、本発明によるビデオ補正システム６０の実施の形態例を示しており、この例は２つのカラー空間ドメイン、即ちＲＧＢ（赤、緑、及び青）カラー空間ドメイン及びＹＣｂＣｒ（ルミネセンス、青色度、及び赤色度）カラー空間ドメインにおいてビデオ信号を補正するように動作する。しかしながら、本発明は、ＣＭＹ（シアン、マゼンタ、及び黄）ドメインのような他のカラー空間ドメインからの入力を処理するように適合させることができる。図示実施の形態においては、システム６０は、４つの異なる入力及び出力カラー空間ドメインの組合わせを受入れるように構成することができる。各組合わせ毎にスイッチコントロール６２が補正器／変換器６４を構成し、１またはそれ以上の関連構成部品において入力を処理させる。
【００２６】
システム６０の動作前に適切なシステム構成を得るために、スイッチコントロール６２はスイッチバンク６６内に１またはそれ以上のスイッチングメカニズムを構成する。スイッチコントロール６２は、入力信号の既知の特性及び所望出力信号に従って、補正器／変換器６４内の１またはそれ以上の構成部品を選択する。スイッチバンク６６は、選択された構成部品に入力信号を供給するようにそのスイッチング配列を変更する。動作中、入力信号は対数変換器６８において受信される。対数変換器（ＬＯＧ）６８は入力信号を対数ドメインに変換し、それを補正器／変換器６４へ供給する。
【００２７】
補正器／変換器６４は、複数の構成部品を含む。図示実施の形態においては、補正器／変換器は、第１白黒レベル伸張器（ＢＷＬＥ）７２、第２白黒レベル伸張器７４、第１γ補正器７６、第２γ補正器７８、第３γ補正器８０、第１色度補正器８２、及び第２色度補正器８４を含んでいる。図示実施の形態においては、幾つかの構成部品が機能的に冗長であるが、スイッチング配列を簡易化するために含まれているのである。例えば、図示実施の形態においては特定の信号を処理するために、第１及び第２白黒レベル伸張器７２、７４の一方だけが使用される。白黒レベル伸張器を補正器／変換器の入力及び出力付近の位置に配置することによって、一方の伸張器をバイパスし、他方の伸張器を選択してプロセスのより適切な点において信号を処理することが可能になる。
【００２８】
第１及び第２白黒レベル伸張器７２、７４は、信号のペデスタル（黒）と利得（白）との間のコントラストを増加させるように動作する。白黒レベルの伸張は、ＹＣｂＣｒカラー空間ドメインにおいて容易に遂行することができる。従って、図示実施の形態における補正器／変換器６４は、入力信号がＹＣｂＣｒドメイン内に表されている時に限って入力付近の第１白黒レベル伸張器７２を選択するように構成されよう。同様に、補正器／変換器６４は所望出力信号がＹＣｂＣｒドメイン内に表される時に限って出力付近の第２白黒レベル伸張器７４を選択するように構成されよう。第２白黒レベル伸張器７４による冗長処理を回避するために、所望出力がＹＣｂＣｒドメイン内にある時には、たとえ入力信号がＹＣｂＣｒドメイン内にあっても第１白黒レベル伸張器７２はバイパスされる。
【００２９】
図示実施の形態の白黒レベル伸張器７２、７４内において、Ｙ成分の値が指定された利得ファクタに従って変更される。Ｙは、それが白黒レベル伸張器７２、７４に到達する時には対数ドメイン内に表されているから、対応する値を、信号のＹ成分の対数表現に単に加算するだけで利得を適用することができる。しかしながら、アプリケーションがそのように要求する場合には、ＹＣｂＣｒドメイン以外の信号のために、信号の利得及びペデスタルを変更するように白黒レベル伸張器７２、７４を設計できることは理解されよう。
【００３０】
第１及び第２γ補正器７６、７８は、入力信号の関連指数γ値を除去するように動作する。図示実施の形態においては、補正器／変換器６４は入力信号を、入力信号が既にＲＧＢカラー空間ドメイン内に表されている場合には第１γ補正器７６へ、また入力信号がＹＣｂＣｒドメイン内に表されている場合には第２γ補正器７８へ供給するように構成される。白黒レベル伸張器７２、７４と同じように、これらの構成部品の冗長機能は、スイッチングプロセスを簡易化するために設けられている。
【００３１】
入力信号は、信号を発生するデバイスの関連指数γ係数だけバイアスされた信号の対数表現として、第１γ補正器７６へ供給される。例えば、ビデオカメラその他のセンサにはガンマ値が伴い得る。γ補正は、信号の各色度成分に適用される乗算型補正ファクタとして信号に与えることができる。この補正ファクタは、入力信号の関連γの乗算型逆数に等しく、一般的には１より大きい値を有していよう。第１及び第２γ補正器７６、７８は入力信号の関連γを補正して、不偏バイアスＲＧＢ信号を発生する。不偏バイアス（バイアスされていない）とは、ＲＧＢデータが何らのγ補正をも含まないことを意味し、不偏バイアス信号の関連γファクタは１に等しい。入力信号の関連γ値は、構成パラメータとして第１及び第２ガンマ補正器７６、７８へ供給される。図示実施の形態においては、特性γがオペレータによって供給され、動作中に調整することができる。
【００３２】
第３γ補正器８０は、システムディスプレイに関連するγ値を入力信号に供給する。信号から先行γ補正を除去する第１及び第２ガンマ補正器７６、７８とは異なり、第３γ補正器８０はシステムディスプレイに特定のγ補正値を用いて不偏バイアス信号を補正する。この値はディスプレイの特性に依存し、構成パラメータとしてオペレータによって供給される。アプリケーションに依存して、このγ値をエンドユーザが調整できるようにすることも可能である。このγ値は、３つの信号成分（例えば、Ｒ、Ｇ、及びＢ）の対数表現に乗算型ファクタとして適用することができる。以上のように、第３ガンマ補正器８０は第１及び第２ガンマ補正器７６、７８と構造的には同一であるが、関連γパラメータは異なることができる。一般的に言えば、適用されるγ値は、ディスプレイの非線形レスポンスを勘案して１より小さいであろう。第３ガンマ補正器８０の出力は、そのアプリケーションのディスプレイのためにγ補正されたＲＧＢドメイン内の信号である。
【００３３】
第１及び第２色度補正器８２及び８４は、入力信号の線形変換を遂行して所望の特性を有する出力信号を発生する。線形変換の結果として、出力信号は対数ドメイン内に表された３つの成分信号を含み、各成分は元の信号の３つの成分の線形組合わせを表している。図示実施の形態においては、この線形変換は３×３行列乗算の形状である。色度補正は、個々のカラー空間ドメイン間の変換（例えば、ＲＧＢからＹＣｂＣｒへ）か、または収集センサとディスプレイとの間の差を勘案するためにカラー空間ドメイン内での補正の何れかを含むことができる。
【００３４】
図示実施の形態においては、第１及び第２色度補正器８２、８４は、対数ドメイン内の色度成分の値と、一連の係数との行列乗算を遂行する。これらの係数は、構成パラメータとして供給される。色度補正器８２、８４の機能（例えば、入力信号のドメイン間変換、ドメイン内補正）が、これらの色度補正器へ供給される係数によって制御されることは理解されよう。
【００３５】
図示実施の形態においては、ＲＧＢではない入力が予測される場合、第１色度補正器８２は入力信号をＲＧＢカラー空間ドメインに変換するように構成される。既にＲＧＢドメインにある入力は、システム６０に関連している標準ＲＧＢドメインからの何等かの偏差を補正することができる。例えば、利得またはオフセット値を信号に適用してそのＲＧＢドメインを、収集カメラが使用しているＲＧＢドメインから、ディスプレイによって望まれるＲＧＢドメインへ調整することができる。図示実施の形態においては、第１色度補正器８２の出力は、信号のγ補正を容易にするためにＲＧＢドメインで表される。
【００３６】
第２色度補正器８４においては、γ補正済みのＲＧＢ信号を線形変換して所望のカラー空間ドメインに変換することができる。例えば、信号をＲＧＢカラー空間ドメインからＹＣｂＣｒカラー空間ドメインへ変化させることができる。出力信号がＲＧＢドメイン内に表すことが望ましい場合には、第２色度補正器８４をバイパスすることができる。第２色度補正器８４の出力は、３つの成分（それぞれが３つの入力成分の線形組合わせからなる）を有する信号になる。
【００３７】
構成可能な補正器／変換器６４において処理された信号は、逆対数変換器へ渡される。逆対数変換器（ＬＯＧ-1）７０は、信号の対数表現を変換して標準ドメインへ戻す。従って、システム出力は、所望のカラー空間ドメイン、利得及びペデスタルレベル、または関連γ係数のような１またはそれ以上の所望の色度特性を有する標準ドメイン信号である。
【００３８】
図４は、本発明の一面によるビデオ補正システムのための構成可能な補正器／変換器９０の実施の形態例を示している。この補正システム内に図示されている構成部品７２−８４は、図３を参照して説明した構成部品と同一である。しかしながら、本発明の範囲から逸脱することなく他のビデオ補正構成部品によって補正器／変換器を置換できることを理解されたい。
【００３９】
図示した補正器／変換器９０は、複数のシステム構成部品のそれぞれを選択、またはバイパスするように動作する複数のバイパススイッチＳ１−Ｓ７を含んでいる。スイッチＳ１−Ｓ７は、機械的スイッチ、トランジスタスイッチ、または他の何等かの適切なスイッチング手段であることができる。各構成部品は、関連バイパススイッチを有している。スイッチコントロール６２は、各スイッチを選択状態とバイパス状態との間でトグルさせることによって、複数の構成部品が入力信号を受信するように選択することができる。
【００４０】
図示実施の形態には、受信入力信号及び所望出力信号に基づく４つのシステム構成が存在する。例えば、第１の構成においては、スイッチコントロール６２は、ＲＧＢ入力信号を受信してγ補正済みＹＣｂＣｒ信号を出力するように動作する一連の構成部品を選択する。例えば、入力信号が利得及びペデスタルの調整にとって適切ではないカラー空間ドメインにある場合には、第１白黒レベル伸張器７２はバイパスされる。しかしながら、信号が既にＲＧＢ形状である場合には、第１γ補正器７６を選択することができる。もし入力信号がＹＣｂＣｒ入力信号であれば、第１γ補正器７６はバイパスされるが、第１白黒レベル伸張器７２が選択されるような別の構成を選択することができる。上述した２つの状態スイッチング以外に複数の構成部品を選択する他のスイッチング配列も使用できることを理解されたい。
【００４１】
図５−８は、図４に示した構成可能な補正器／変換器の構成例を示している。システムの説明を容易にするために、この構成可能な補正器／変換器内の諸構成部品には図４と同一の番号を付してある。図示実施の形態においては、スイッチ構成は、入力信号の関連色ドメイン及び所望出力信号に応答して選択される。以下、ＲＧＢ及びＹＣｂＣｒカラー空間ドメインに限定して説明するが、本発明は他の関連カラー空間ドメインを有する信号を処理するためにも適用可能であることを理解されたい。
【００４２】
図５は、図４に示す補正器／変換器の第１構成１００を示している。図示の構成１００は、補正器／変換器がＲＧＢ入力信号を受信し、所望の出力信号がγ補正済みＹＣｂＣｒ信号である場合に適している。図示構成１００においては、スイッチコントロールはスイッチバンクに指令して第１白黒レベル伸張器７２及び第２γ補正器７８をバイパスさせている。
【００４３】
図示構成１００においては、入力信号がＹＣｂＣｒカラー空間ドメイン内にないので、第１白黒レベル伸張器７２がバイパスされている。代わりに、入力信号の対数表現はスイッチバンク（図示せず）によって第１ガンマ補正器７６へ導かれ、既存γ補正が信号から除去されて不偏バイアス（例えば、γ補正されていない）信号が発生される。この不偏バイアス信号は、第１色度補正器８２へ渡される。第１色度補正器８２は、その信号をディスプレイのための標準ＲＧＢに変換するように動作する。たとえ信号が既にＲＧＢカラー空間ドメイン内に表されているとしても、それは収集カメラにおける信号の処理からの色度誤差を保持していよう。第１色度補正器８２における線形変換は、入力信号を、収集カメラによって使用されているＲＧＢドメインから補正システムの関連ディスプレイによって使用される標準ＲＧＢドメインへ変換する。
【００４４】
次に、補正された信号は、スイッチバンクによって第３γ補正器８０へ導かれる。第１ガンマ補正器７６によって不偏バイアス信号が既に供給されているので、第２γ補正器はバイパスされる。第３γ補正器において、補正システムの関連ディスプレイに特定のγ値が信号に適用される。出力の所望カラー空間ドメインがＹＣｂＣｒであるから、このγ補正済み信号は第２色度補正器８４へ渡されてカラー空間変換が遂行される。
【００４５】
第２色度補正器８４において、信号はＹＣｂＣｒカラー空間ドメインに線形変換される。このＹＣｂＣｒ信号は第２白黒レベル伸張器７４へ送られ、信号の利得とペデスタルとの間のコントラストを増加させるように補正される。図示構成１００の補正器／変換器の出力は、対数ドメイン内に表されたγ補正済みのＹＣｂＣｒ信号である。
【００４６】
図６は、図４に示す補正器／変換器の第２構成１１０を示している。図示構成１１０は補正器／変換器がＹＣｂＣｒ入力信号を受信し、所望出力信号がγ補正済みＹＣｂＣｒ信号である場合に適している。図示構成１１０においては、スイッチコントロールはスイッチバンクに指令して第１白黒レベル伸張器７２及び第１γ補正器７６をバイパスさせる。ＹＣｂＣｒ出力が望まれる場合には第２白黒レベル伸張器７４を選択することができるので、信号の冗長処理を回避するために、第１白黒レベル伸張器７２はバイパスされる。入力信号は、それがＲＧＢドメインに変換されてしまうまでは容易にγ補正することができないので、第１γ補正器７６はバイパスされる。
【００４７】
代わりに、対数ドメイン信号は第１色度補正器８２へ導かれ、ＲＧＢカラー空間ドメインに線形変換される。このＲＧＢ信号は、第２γ補正器７８へ供給される。第２γ補正器７８は、信号から既存γ補正を除去して不偏バイアス信号を発生する。不偏バイアス信号は第３γ補正器８０へ渡され、補正システムの関連ディスプレイに特定のγ値が信号に適用される。
【００４８】
出力の所望カラー空間ドメインがＹＣｂＣｒドメインであるので、このγ補正済み信号は第２色度補正器８４に供給されてカラー空間変換される。γ補正済み信号は第２色度補正器８４において線形変換され、ＹＣｂＣｒカラー空間ドメインに戻される。このＹＣｂＣｒ信号は第２白黒レベル伸張器７４へ送られ、信号の利得とペデスタルとの間のコントラストを増加させるように信号が補正される。図示構成１１０の補正器／変換器の出力は、ＹＣｂＣｒドメイン内のγ補正済み信号の対数表現である。
【００４９】
図７は、図４に示すビデオ補正システム内の補正器／変換器の第３構成１２０を示している。図示構成１２０は、補正器／変換器がＲＧＢ入力信号を受信し、所望出力信号がγ補正済みＲＧＢ信号である場合に適している。図示構成１２０においては、スイッチコントロールはスイッチバンクに指令して第１及び第２白黒レベル伸張器７２、７４、第２γ補正器７８、及び第２色度補正器８４をバイパスさせる。
【００５０】
信号がＹＣｂＣｒ内に表されていないので、第１白黒レベル伸張器７２はバイパスされ、ＲＧＢ入力信号は第１γ補正器７６へ供給される。第１γ補正器７６は、信号から既存γ補正を除去して不偏バイアス信号を発生する。この不偏バイアス信号は、第１色度補正器８２へ渡される。第１色度補正器８２は、信号をディスプレイのための標準ＲＧＢに変換するように動作する。たとえ信号が既にＲＧＢカラー空間ドメイン内に表されているとしても、それは収集カメラにおける信号の処理からの色度誤差を保持していよう。第１色度補正器８２における線形変換は、入力信号を、収集カメラによって使用されているＲＧＢから補正システムの関連ディスプレイが使用する標準ＲＧＢドメインへ変換する。
【００５１】
信号が既に不偏バイアスにされているから、補正済み信号は第２γ補正器７８をバイパスして第３γ補正器８０へ進む。第３γ補正器８０において、補正システムの関連ディスプレイに特定のγ値が信号に適用される。信号が既に所望カラー空間ドメイン内にあるので、第２色度補正器８４はバイパスされる。信号がＹＣｂＣｒドメイン内にないので、第２白黒レベル伸張器７４もバイパスされる。従って、図示構成１２０の補正器／変換器の出力は、対数ドメインで表されたγ及び色度補正済みＲＧＢ出力信号である。
【００５２】
図８は、図４に示す補正器／変換器の第４構成１３０を示している。図示構成１３０は、補正器／変換器がＹＣｂＣｒ入力信号を受信し、所望出力信号がγ補正済みＲＧＢ信号である場合に適している。図示構成１３０においては、スイッチコントロールはスイッチバンクに指令して第１γ補正器７６、第２色度補正器８４、及び第２白黒伸張器７４をバイパスさせる。
【００５３】
対数ドメイン内に表されている入力信号は、第１白黒レベル伸張器７６において受信される。第１白黒レベル伸張器７６において、信号は、信号の利得とペデスタルとの間のコントラストを増加させるように補正される。信号がＹＣｂＣｒカラー空間ドメイン内に表されているので、入力信号に関連するγは、信号がＲＧＢドメインに変換されてしまうまでは容易に補正することはできない。従って第１γ補正器７６がバイパスされ、信号は第１色度補正器８２へ供給されてＲＧＢカラー空間ドメインに線形変換される。
【００５４】
このＲＧＢ信号は、第２γ補正器７８へ供給される。第２γ補正器７８は、信号から既存γ補正を除去して不偏バイアス信号を発生する。この不偏バイアス信号は第３γ補正器８０へ渡され、補正システムの関連ディスプレイに特定のγ値が信号に適用される。信号は既に所望のカラー空間ドメイン内に表されているので、第２色度補正器８４はバイパスされる。信号は第１白黒レベル伸張器７２において補正済みであるので、第２白黒レベル伸張器７４もバイパスされる。図示構成１３０における補正器／変換器の出力は、対数ドメイン内に表されたγ補正済みＲＧＢ出力信号である。
【００５５】
図９は、本発明による構成可能な補正器／変換器内に一構成部品として含ませることができる色度補正器１５０の一例のブロック図である。図示色度補正器１５０は、行列乗算を遂行して複数の色度成分を含む入力信号を線形に変換する。これは、汎用プロセッサ上で動作するソフトウェアプログラムの一部として、または特殊化ハードウェア構成部品によって達成することができる。図示実施の形態における色度補正器１５０は、対数ドメイン内の入力信号を処理する一連のハードウェア構成部品からなる。
【００５６】
図示実施の形態においては、対数ドメイン内に表された入力信号の３つの色度成分は、第１加算器アレイ１５２において受信される。図示実施の形態においては、第１アレイは各色度成分毎に３つ、計９つの加算器からなる。各加算器は、成分の１つの値及び変換係数メモリ１５４からの係数を受信する。これらの係数は、動作前にオペレータによってセットすることも、または動作中にスイッチコントロールによって供給することもできる。対数ドメイン内において計数を加算すると、標準ドメインにおいてそれらを乗算した効果が得られ、各色度成分毎に３つの積のセットが得られることは理解されよう。
【００５７】
線形変換を完了させるためには、これらの積を合計する必要がある。対数ドメインにおいては、標準加算が同等の効果を有していないことは明白である。従って、これらの積は逆対数変換器アレイ１５６によって変換され、標準ドメインに戻される。図示実施の形態においては、アレイは標準ドメイン値を発生する９つの２を底とする逆対数変換器を含んでいる。
【００５８】
今は標準ドメイン内に表されている積は、第２加算器アレイ１５８へ供給される。図示実施の形態においては、第２加算器アレイ１５８は、各色度成分毎に１つ、計３つの加算器を含んでいる。各加算器は、それぞれが元の色度成分の１つに関連している３つの積を受信する。第２加算器アレイ１５８は、これらの積を合計して３つの新しい値を発生する。これらの各値は、元の３つの色度成分の線形組合わせである。これらの新しい値は、別のカラー空間ドメイン内にある入力信号、またはシステムの関連ディスプレイと収集カメラとの間の色度の何等かの差（逸脱）を補正した同一カラー空間ドメイン内の信号としての入力信号の何れかを表している。この差は、カメラ内のＲＧＢスプリッティング中に発生する信号誤差、またはディスプレイ及びカメラが認めている特定ＲＧＢの差の結果であり得る。図示実施の形態においては、色度補正器１５０は入力信号をＲＧＢカラー空間からＹＣｂＣｒカラー空間に変換するので、このアレイの出力は入力信号を表すＹ、Ｃｂ、及びＣｒ成分を含むことになる。
【００５９】
第２加算器アレイ１５８の出力は、対数変換器アレイ１６０に渡される。対数変換器アレイ１６０は、第２加算器アレイ１５８の標準ドメイン出力を変換して対数ドメインに戻す。図示実施の形態においては、対数変換器は、図２を参照して説明した対数変換器と同じように動作する２を底とする対数変換器である。対数変換器アレイ１６０は、所望のカラー空間ドメイン内の入力信号の対数表現を出力する。
【００６０】
図１０は、本発明の一面による構成可能な補正器／変換器内に含ませることができるγ補正器１７０を示している。γ補正器１７０は、対数ドメイン内に表されているＲ、Ｇ、及びＢ色度成分を有する入力信号に作用する。他のカラー空間ドメインにおいてもガンマ補正を遂行することは可能ではあるが、このような補正には大量の計算、または大きいルックアップテーブルが必要であり得る。従って、図示実施の形態においては、γ補正は、ＲＧＢカラー空間ドメイン内に表されている信号に対して遂行される。
【００６１】
信号は、先ず正規化加算器アレイ１７２において受信される。ＲＧＢ信号は３つの成分を含んでいるから、正規化加算器アレイ１７２は３つの加算器を含み、これらの各加算器は正規化ファクタをパラメータメモリ１７４から受ける。正規化ファクタを加算することによって、受信した信号は、さらなる操作のための適切な範囲にされる。図示実施の形態においては、正規化定数は−10に等しい。これは標準ドメインにおける1028による除算に対応するが、これで信号を０と１との間の値まで小さくするのに十分である。正規化ファクタの選択は、アプリケーションに依存しよう。正規化ファクタが不要である場合、正規化定数を０にセットする（１を乗算することに対応する）ことができる。
【００６２】
正規化された信号は乗算器アレイ１７６へ送られる。乗算器アレイ１７６は、パラメータメモリ１７４から検索されたγ補正ファクタと、信号とを乗算する。γファクタの値はオペレータによって予め決定することも、またはスイッチコントロールを通して供給することもできる。対数ドメイン内において信号にγ補正ファクタを乗算することは、標準ドメイン内において信号をγ補正ファクタだけ累乗することに対応する。従って、入力信号を対数ドメイン内に表すことによって、莫大な量の計算が簡略化される。
【００６３】
γファクタの値は、アプリケーション及びγ補正器１７０の意図目的に依存しよう。γ補正器が入力信号から既存γ補正を除去することを意図している場合には、γファクタは信号に関連する既知の、または検出されたγファクタの逆数に等しくする。図示実施の形態においては、この逆γファクタは１より大きいある値である。γ補正器がシステム関連のディスプレイに特定のγ補正を与える場合には、γファクタは、ディスプレイの特性から既知であり、一般的には１より小さい値である。このディスプレイγファクタは、ディスプレイのエンドユーザによって構成可能にすることができる。
【００６４】
乗算器アレイ１７６の出力は、復元加算器アレイ１７８へ供給される。復元加算器は、正規化ファクタの加法に関する逆元（additive inverse）に等しい復元ファクタを信号に加算し、信号を元の範囲に復元する。図示実施の形態においては、復元ファクタは10の値を有しており、復元プロセスを、信号に1028を乗算することと同等にしている。乗算器アレイ１７６は元の入力信号をγ補正したものと同等の信号を出力する。
【００６５】
図１１は、本発明の一面による構成可能な補正器／変換器内に含むことができる白黒レベル伸張器１９０を示している。白黒レベル伸張器１９０は、Ｙ、Ｃｂ、及びＣｒ色度成分を有し対数ドメイン内に表されている入力信号の輝度（ルミナンス）（Ｙ）を操作する。他のカラー空間ドメインにおいて白黒レベル伸張を遂行することも可能ではあるが、このような補正には大量の計算、または大きいルックアップテーブルが必要であり得る。
【００６６】
対数ドメイン内に表されている入力信号の輝度成分は、加算器１９２へ渡される。加算器１９２には、第２の入力として、パラメータメモリ１９４からのパラメータ（所望利得ファクタの対数値を表している）が供給される。このパラメータは、システムの動作前に構成パラメータとして決定されていよう。図示実施の形態においては、ディスプレイの利得及びペデスタル値の変化を勘案できるようにするために、オペレータがこの係数を調整できるようにしてある。対数ドメインにおいて利得ファクタと輝度成分とを加算することは、標準ドメインにおいて２つの値を乗算することと等価であることは明白である。従って、システム出力は、所望の利得及びペデスタル値を有する入力信号の対数表現である。
【００６７】
図１２は、本発明の一面による入力信号のγ補正及びカラー空間変換を遂行する方法を示している。プロセスは、ブロック２５２における入力信号の受信から開始される。入力信号を受信した後に、ブロック２５４において、システム内の一連のスイッチが、入力信号特性及び所望出力信号に従って複数の補正構成部品を選択するように構成される。入力信号特性は受信時に決定することも、またはスイッチ構成を、構成パラメータとしてオペレータによって供給される予測特性に基づかせることもできる。
【００６８】
ブロック２５６において、入力信号は対数ドメインに変換される。デジタル処理においては、一般的に２を底とする対数ドメインが最も有用であるが、本発明の範囲から逸脱することなく如何なる対数の底をも使用することができる。ブロック２５８において、入力信号がＲＧＢカラー空間ドメイン内に表されているか否かが決定される。もしＹＥＳならば、スイッチの１つが信号をγ補正器へ渡す。次いでブロック２６０において、信号が処理されてその関連γ補正が除去され、不偏バイアス信号が発生される。ブロック２６２において信号は、システムの関連ディスプレイに特定の標準化されたＲＧＢドメインに変換される。プロセスは、ディスプレイに特定のγ補正を遂行するブロック２６４へ進む。
【００６９】
ブロック２５８へ戻って、もし信号がＲＧＢカラー空間ドメイン内に表されていなければ、ブロック２６６において信号がＹＣｂＣｒカラー空間ドメイン内に表されているか否かが決定される。もしＹＥＳならば、プロセスがブロック２７０へ進む前に、ブロック２６８において信号に対する白黒レベル変換が遂行される。もしＮＯならば、プロセスはブロック２７０へ進み、信号はディスプレイに特定の標準ＲＧＢドメインに変換される。ブロック２７２において、このＲＧＢ信号が補正されて入力信号に関連するγ値が除去され、不偏バイアス信号が作られる。
【００７０】
ブロック２６４において、不偏バイアス信号は、ディスプレイに特定のγファクタを使用してγ補正される。ブロック２７４において、入力信号が、出力するための所望のカラー空間ドメイン内にあるか否かが決定される。もし信号が所望出力カラー空間ドメインで表されていれば、ブロック２７６において、信号は対数ドメインから標準ドメインへ変換される。これで、プロセスは終了する。
【００７１】
もし信号が所望出力信号のカラー空間内に表されていなければ、ブロック２７８において信号は所望カラー空間に変換される。次いでもし必要ならば、ブロック２８０において信号の利得及びペデスタル値が補正される。次いでブロック２７６において、信号はその対数表現から標準ドメインへ変換され、プロセスは終了する。
【００７２】
以上の記載に関連して、以下の各項を開示する。
【００７３】
１．ビデオ補正システムであって、
入力信号の対数表現を発生する対数変換器と、
前記対数表現を処理し、少なくとも１つの所望信号特性を有する出力信号を発生するように動作する複数の関連構成部品を有する構成可能な補正器／変換器と、
前記補正器／変換器の構成を選択するスイッチコントロールと、
を備え、
前記構成は、前記対数表現を処理するための複数の関連構成部品の少なくとも１つを表していることを特徴とするビデオ補正システム。
【００７４】
２．前記スイッチコントロールは、前記入力信号の特性に従って構成を選択することを特徴とする前記１項に記載のシステム。
【００７５】
３．前記スイッチコントロールは、前記入力信号の予測されるカラー空間ドメイン及び前記出力信号の所望カラー空間ドメインに基づいて構成を選択することを特徴とする前記２項に記載のシステム。
【００７６】
４．前記構成可能な補正器／変換器は、前記入力信号の関連指数γ係数を変更する少なくとも１つのγ補正器を含むことを特徴とする前記１に記載のシステム。
【００７７】
５．前記少なくとも１つのγ補正器は、前記入力信号の関連γ値の変化の量を変更することができる少なくとも１つの構成可能なγ補正器を含むことを特徴とする前記４に記載のシステム。
【００７８】
６．前記少なくとも１つのγ補正器は複数のγ補正器を含み、前記複数のγ補正器は、入力信号の関連指数γファクタを除去する第１γ補正器と、入力信号の関連指数γファクタを除去する第２γ補正器とを含み、前記選択された構成は、前記入力信号を処理するために前記第１γ補正器または前記第２γ補正器の何れかを表すことを特徴とする前記４に記載のシステム。
【００７９】
７．前記複数のγ補正器は更に、前記システムの関連指数γファクタを前記入力信号へ供給する第３γ補正器を含むことを特徴とする前記６に記載のシステム。
【００８０】
８．前記構成可能な補正器／変換器は、前記入力信号の関連利得と前記入力信号の関連ペデスタルとの間のコントラストを増加させる少なくとも１つの白黒レベル伸張器を含むことを特徴とする前記１に記載のシステム。
【００８１】
９．前記構成可能な補正器／変換器は、複数の入力成分を受信して前記入力成分の少なくとも１つの線形組合わせを出力する少なくとも１つの色度補正器を含むことを特徴とする前記１に記載のシステム。
【００８２】
１０．前記少なくとも１つの色度補正器は、前記入力信号を第１カラー空間ドメインから第２カラー空間ドメインへ変換するように構成されていることを特徴とする前記９に記載のシステム。
【００８３】
１１．前記少なくとも１つの色度補正器は、対数変換器及び逆対数変換器を含むことを特徴とする前記９に記載のシステム。
【００８４】
１２．前記対数変換器、前記スイッチコントロール、及び前記構成可能な補正器／変換器は、特定用途向け集積回路の一部として実現されていることを特徴とする前記１に記載のシステム。
【００８５】
１３．ビデオ補正システムであって、
入力信号の対数表現を発生する手段と、
複数の関連構成部品を有し、前記対数表現を処理して少なくとも１つの所望信号特性を有する出力信号を発生する手段と、
前記対数表現を処理するために複数の関連構成部品の少なくとも１つを選択する手段と、
を備えていることを特徴とするビデオ補正システム。
【００８６】
１４．前記対数表現を発生する手段は、関連する底の連続整数冪間の線形補間を遂行する手段と、前記線形補間から生じた仮数値を補正する手段とを含むことを特徴とする前記１３に記載のシステム。
【００８７】
１５．前記システムは更に、信号の対数表現を標準ドメイン表現に変換する手段を備えていることを特徴とする前記１３に記載のシステム。
【００８８】
１６．前記信号の対数表現を標準ドメイン表現に変換する手段は、前記対数表現に関連する仮数値を予備補正する手段と、前記対数表現に関連する整数値及び前記予備補正された仮数から前記標準ドメイン値を発生する手段とを含むことを特徴とする前記１５に記載のシステム。
【００８９】
１７．入力信号内の色度偏差を補正する方法であって、
入力信号の対数表現を発生するステップと、
複数の関連構成部品を使用することによって前記対数表現を処理し、少なくとも１つの所望信号特性を有する出力信号を発生するステップと、
前記対数表現を処理するために前記複数の関連構成部品の少なくとも１つを選択するステップと、
を含むことを特徴とする方法。
【００９０】
１８．前記関連構成部品は、前記入力信号の予測される特性及び出力信号の所望特性に従って選択されることを特徴とする前記１７に記載の方法。
【００９１】
１９．前記対数表現の処理ステップは、３つの色度成分からなる前記入力信号を線形に変換するステップを含むことを特徴とする前記１７に記載の方法。
【００９２】
２０．前記入力信号を線形に変換するステップは、複数の係数を前記３つの色度成分の対数表現に加算して３組の中間積を発生するステップを含むことを特徴とする前記１９に記載の方法。
【００９３】
２１．前記入力信号を線形に変換するステップは更に、前記中間積を前記対数ドメインから標準ドメインへ変換するステップと、組にまたがる前記積を合計し、各々が前記３つの色度成分の線形組合わせである３つの和を形成するステップとを含むことを特徴とする前記２０に記載の方法。
【００９４】
２２．入力信号に関してビデオ補正を遂行するビデオ補正システム及び方法を開示する。本システムは、前記入力信号の対数表現を発生する対数変換器（１６）を含む。構成可能な補正器／変換器（１４）は、前記入力信号の対数表現を処理するように動作する複数の関連構成部品を含む。構成可能な補正器／変換器（１４）は、少なくとも１つの所望の信号特性を有する出力信号を発生する。スイッチコントロール（１２）は、補正器／変換器（１４）の構成を選択する。この構成は、前記対数表現を処理する前記複数の関連構成部品の少なくとも１つを表している。
【００９５】
以上、本発明の実施の形態を説明した。勿論、本発明の目的を記述する目的のために構成部品及び方法の考え得る全ての組合わせを記述することは不可能であるが、本発明の他の多くの組合わせ及び変更が可能であることは当業者には明白であろう。従って、本発明は、特許請求の範囲に記載されている思想及び範囲内に入る変形、変更、及び変化を全て包含することを意図している。
【図面の簡単な説明】
【００９６】
【図１】本発明の一面によるビデオ補正システムのブロック図。
【図２】本発明の一面による対数変換器のブロック図。
【図３】本発明の一面による例示ビデオ補正システムのブロック図。
【図４】本発明の一面による例示構成可能な補正器／変換器のブロック図。
【図５】図４の例示構成可能な補正器／変換器の第１構成を示すブロック図。
【図６】図４の例示構成可能な補正器／変換器の第２構成を示すブロック図。
【図７】図４の例示構成可能な補正器／変換器の第３構成を示すブロック図。
【図８】図４の例示構成可能な補正器／変換器の第４構成を示すブロック図。
【図９】本発明の一面による色度補正の回路を示すブロック図。
【図１０】本発明の一面によるγ補正構成部品の回路を示すブロック図。
【図１１】本発明の一面による構成可能な補正器／変換器内に含ませることができる白黒レベル伸張器を示す図。
【図１２】本発明の一面による入力信号のビデオ補正を遂行するための方法を示す図。
【符号の説明】
【００９７】
１０    ビデオ補正システム
１２    スイッチコントロール
１４    構成可能な補正器／変換器
１６    対数変換器
１８    逆対数変換器
４０    対数変換器
４２    線形補間ステージ
４４、４６、４８    補正ステージ
６０    ビデオ補正システム
６２    スイッチコントロール
６４    補正器／変換器
６６    スイッチバンク
６８    対数変換器
７０    逆対数変換器
７２、７４    白黒レベル伸張器
７６、７８、８０    γ補正器
８３、８４    色度補正器
９０    補正器／変換器
１００    補正器／変換器の第１構成
１１０    補正器／変換器の第２構成
１２０    補正器／変換器の第３構成
１３０    補正器／変換器の第４構成
１５０    色度補正器
１５２    第１加算器アレイ
１５４    変換係数メモリ
１５６    逆対数変換器アレイ
１５８    第２加算器アレイ
１６０    対数変換器アレイ
１７０    γ補正器
１７２    正規化加算器アレイ
１７４    パラメータメモリ
１７６    乗算器アレイ
１７８    復元加算器アレイ
１９０    白黒レベル伸張器
１９２    加算器
１９４    パラメータメモリ
【図１】
2005027301.tif 000003
【図２】
2005027301.tif 000004
【図３】
2005027301.tif 000005
【図４】
2005027301.tif 000006
【図５】
2005027301.tif 000007
【図６】
2005027301.tif 000008
【図７】
2005027301.tif 000009
【図８】
2005027301.tif 000010
【図９】
2005027301.tif 000011
【図１０】
2005027301.tif 000012
【図１１】
2005027301.tif 000013
【図１２】
2005027301.tif 000014